(57)【要約】      （修正有）【課題】操作感の差異を低減させるとともに、外観形状を良好にすることができる引輪金具および装身用チェーンを提供する。【解決手段】略環状の中空リング部４１と、チェーン２の一端が取付けられる指掛け部４２と、を有し、チェーン２の他端を中空リング部４１内に挿通する引輪金具本体４と、中空リング部４１内で摺動可能に位置する中芯部５１と、中芯部５１から外側へ延出した摘み部５２と、を有する開閉部材５と、を備える引輪金具３であって、指掛け部４２および摘み部５２は、動物の耳の形となるように、２．０ｍｍ以上の同じ長さで延出している。【選択図】図２
0003219578.tif 000002
【実用新案登録請求の範囲】
【請求項１】
一部を切欠いた切欠き部が形成された略環状の中空リング部と、前記中空リング部から外側へ延出し、チェーンの一端が取付けられる指掛け部と、を有し、前記チェーンの他端を前記切欠き部を介して前記中空リング部内に挿通する引輪金具本体と、
前記中空リング部内で摺動可能に位置する中芯部と、前記中芯部から外側へ延出した摘み部と、を有し、前記摘み部を前記指掛け部に引き付けることで、前記中芯部を前記切欠き部から離間させて、前記切欠き部を開く開閉部材と、を備え、前記開閉部材の操作により前記チェーンを輪状に連結する引輪金具であって、
前記指掛け部および前記摘み部は、動物の耳の形となるように、２．０ｍｍ以上の同じ長さで延出していることを特徴とする引輪金具。
【請求項２】
前記指掛け部および前記摘み部の少なくとも一方の外周面は、凹凸状に形成されていることを特徴とする請求項１に記載の引輪金具。
【請求項３】
請求項１又は２に記載の前記引輪金具と、
前記指掛け部に一端を取付け、前記中空リング部内に他端を挿通する前記チェーンと、
を備えることを特徴とする装身用チェーン。
【考案の詳細な説明】
【技術分野】
【０００１】
本考案は、装身用チェーンの両端部を連結して、装身用チェーンを輪状に形成する引輪金具および装身用チェーンに関する。
【背景技術】
【０００２】
ネックレスやブレスレットなどの装身用チェーン（以下、「装身用チェーン」と言う。）の両端部を連結して、首や手首等に装着する引輪金具がある。引輪金具は、略環状の引輪金具本体の外周に装身用チェーンの一端を取付け、装身用チェーンの他端を切欠き部から引輪金具本体内へ挿通するだけで、装身用チェーンを輪状に連結することができるため、利便性が高く、鋭意研究なされている。
【０００３】
例えば、特許文献１（従来例）では、図１２で示すように、留め金具本体１２０内を摺動する開閉部材１７０と一体的に形成され、留め金具本体１２０から外方へ突出した摘み部１８０に広面１１０a（開閉部材１７０の摺動方向と直交する方向の幅を留め金具本体１２０の断面の直径よりも長い面）を形成することで、摘み部１８０の操作を容易に遂行することができる留め金具１００が開示されている。
【先行技術文献】
【特許文献】
【０００４】
【特許文献１】特開２００８−３６２４４号
【考案の概要】
【考案が解決しようとする課題】
【０００５】
しかし、従来例の留め金具１００では、摘み部１８０の広面１１０aと対峙するリング１４０が、広面１１０aと異なる形状であるため、広面１１０aとリング１４０の摘み方向による操作感の相違が生じる問題や留め金具１００全体の外観形状が優れない問題があった。
【０００６】
本考案は、上述した事情に鑑みてなされるものであって、指掛け部および摘み部を、動物の耳の形となるように、２．０ｍｍ以上の同じ長さで延出することで、摘み部を指掛け部へ引き寄せ方による操作感の相違を低減させるとともに、全体の外観形状を良好にすることができる引輪金具および装身用チェーンを提供することを目的とする。
【課題を解決するための手段】
【０００７】
上記課題を解決するためになされた請求項１に記載の考案は、一部を切欠いた切欠き部が形成された略環状の中空リング部と、前記中空リング部から外側へ延出し、チェーンの一端が取付けられる指掛け部と、を有し、前記チェーンの他端を前記切欠き部を介して前記中空リング部内に挿通する引輪金具本体と、前記中空リング部内で摺動可能に位置する中芯部と、前記中芯部から外側へ延出した摘み部と、を有し、前記摘み部を前記指掛け部に引き付けることで、前記中芯部を前記切欠き部から離間させて、前記切欠き部を開く開閉部材と、を備え、前記開閉部材の操作により前記チェーンを輪状に連結する引輪金具であって、前記指掛け部および前記摘み部は、動物の耳の形となるように、２．０ｍｍ以上の同じ長さで延出していることを特徴とする。
【０００８】
請求項１に記載の考案によれば、指掛け部および摘み部を、動物の耳の形となるように、２．０ｍｍ以上の同じ長さで延出することで、摘み部を指掛け部へ引き寄せ方による操作感の相違を低減させるとともに、全体の外観形状を良好にすることができる引輪金具を提供することができる。
【０００９】
請求項２に記載の考案は、請求項１に記載された引輪金具であって、前記指掛け部および前記摘み部の少なくとも一方の外周面は、凹凸状に形成されていることを特徴とする。
【００１０】
請求項２に記載の考案によれば、指掛け部および摘み部の外周面を凹凸状に形成することで、指掛け部に対する摘み部の引き寄せ操作をより円滑に行うことができる。
【００１１】
請求項３に記載の考案は、請求項１又は２に記載の引輪金具と、前記指掛け部に一端を取付け、前記中空リング部内に他端を挿通する前記チェーンと、を備えることを特徴とする。
【００１２】
請求項３に記載の考案によれば、指掛け部および摘み部を、動物の耳の形となるように、２．０ｍｍ以上の同じ長さで延出することで、摘み部を指掛け部へ引き寄せ方による操作感の相違を低減させるとともに、全体の外観形状を良好にすることができる装身用チェーンを提供することができる。
【考案の効果】
【００１３】
本考案によれば、指掛け部および摘み部を、動物の耳の形となるように、２．０ｍｍ以上の同じ長さで延出することで、摘み部を指掛け部へ引き寄せ方による操作感の差異を低減させるとともに、全体の外観形状を良好にすることができる引輪金具および装身用チェーンを提供することができる。
【図面の簡単な説明】
【００１４】
【図１】第１実施例の装身用チェーンを示す概略図である。
【図２】図１のＡ部を拡大した拡大図である。
【図３】図１の引輪金具の斜視図である。
【図４】図１の引輪金具の側面図である。
【図５】図１の引輪金具の平面図である。
【図６】図３のＢ−Ｂ線で切断した断面図である。
【図７】図１の装身用チェーンを装着する装着方法を示すフローチャートである。
【図８】第２実施例の引輪金具の斜視図である。
【図９】図８のＣ−Ｃ線で切断した断面図である。
【図１０】第３実施例の引輪金具の斜視図である。
【図１１】第４実施例の引輪金具の斜視図である。
【図１２】従来例の留め金具の斜視図である。
【考案を実施するための形態】
【００１５】
以下、本考案を図面に示す実施例に基づいて説明する。
（第１実施例）
本考案の装身用チェーン１に関して、図１乃至６を用いて説明する。
図１は第１実施例の装身用チェーン１を示す概略図であり、図２は図１のＡ部を拡大した拡大図であり、図３は図１の引輪金具３の斜視図であり、図４は図１の引輪金具３の側面図であり、図５は図１の引輪金具３の平面図であり、図６は図３のＢ−Ｂ線で切断した断面図である。
なお、引輪金具３の幅方向をＸ軸、引輪金具３の厚み方向をＹ軸、引輪金具３の高さ方向をＺ軸とする。
【００１６】
図１および２で示すように、引用符号１は、本実施例の装身用チェーン１である。装身用チェーン１は、チェーン２と、チェーン２の一端に取付けられ、チェーン２の他端を挿通する引輪金具３と、を備える。
【００１７】
図１および２で示すように、チェーン２は、鎖状又は紐状のチェーン本体２１と、チェーン本体２１の他端に取付けられ、引輪金具３を挿通して連結する連結プレート２２と、を有する。
【００１８】
チェーン本体２１は、図２で示すように、チェーン構成部材２１aを一続きに多数連ねたものである。チェーン構成部材２１aは、例えば、金を主成分として銀、銅を配合したＫ１８金合金、Ｋ１４金合金、Ｋ１０金合金などの金合金（以下、「金合金」という。）、プラチナを主成分とするプラチナ１０００（プラチナ含有率約１００重量％）、プラチナ９００（プラチナ含有率約９０重量％）、プラチナ８５０（プラチナ含有率約８５重量％）などのプラチナ合金（以下、「プラチナ合金」という。）、または銀を主成分とする銀９００（銀含有率約９０重量％）、銀９２５（銀含有率約９２．５重量％）、銀９５０（銀含有率約９５重量％）などの銀合金（以下、「銀合金」という。）からなり、例えば喜平型やあずき型などのリング状をしたものである。
【００１９】
連結プレート２２は、図１および２で示すように、例えば金合金、プラチナ合金、銀合金等からなる薄板状のプレートである。連結プレート２２の先端側には、例えば長手方向へ延びる楕円状の孔からなる挿通孔２２ａが形成されている。連結プレート２２の後端側には、例えば円状の孔からなり、チェーン本体２１の他端と連結する連結孔２２ｂが形成されている。
【００２０】
図３乃至６で示すように、引輪金具３は、チェーン本体２１の一端が外周に取付けられ、挿通孔２２ａに挿通する引輪金具本体４と、引輪金具本体４内を摺動する開閉部材５と、を備える。この引輪金具３は、開閉部材５を操作することで、引輪金具本体４を挿通孔２２ａに挿通させて、チェーン本体２１を輪状に連結する。
【００２１】
引輪金具本体４は、図２、３および６で示すように、一部を切欠いた切欠き部４１ａが形成された中空リング部４１と、中空リング部４１から外側上方へ延出し、装着者の指を掛ける指掛け部４２と、を有する。
【００２２】
中空リング部４１は、図３乃至６で示すように、例えば金合金、プラチナ合金又は銀合金などからなり、クマの顔の形となるように、例えば直径を６.０ｍｍとする略リング状をしたものである。中空リング部４１における指掛け部４２と切欠き部４１ａとの間における外周面には、周方向へ延びるスリット溝４１ｂが形成されている。このスリット溝４１ｂは、切欠き部４１ａの切欠き長さよりも長く形成されている。
【００２３】
指掛け部４２は、図３乃至５で示すように、クマの片側の耳の形となるように、例えば直径を２．０ｍｍとする略球体状をしており、中空リング部４１と同一素材（例えば、金合金、プラチナ合金又は銀合金など）からなる。指掛け部４２の外周面には、被係止部４２ａが形成されており、この被係止部４２ａにチェーン本体２１の一端を係止させる。
【００２４】
開閉部材５は、図３乃至６で示すように、切欠き部４１ａを開閉するものであり、例えば金合金、プラチナ合金又は銀合金などからなる。この開閉部材５は、中空リング部４１内を摺動可能に位置する中芯部５１と、中芯部５１から外側上方へ延出した摘み部５２と、切欠き部４１ａ側へ中芯部５１を押圧する押圧部５３と、を有する。
【００２５】
中芯部５１は、図６で示すように、例えば略三日月形状をしており、中空リング部４１内を摺動可能に形成されている。
【００２６】
摘み部５２は、図３乃至６で示すように、指掛け部４２と同じ大きさで、クマの片側の耳の形となるように、例えば直径を２．０ｍｍとする略球体状に形成されている。摘み部５２は、中芯部５１と一体的に形成されており、スリット溝４１ｂ上を摺動可能に形成されている。
【００２７】
押圧部５３は、図６で示すように、基端を中空リング部４１の内周面に係止させており、中芯部５１を切欠き部４１ａ側へ押圧する。この押圧部５３は、例えばスプリングなどであり、中空リング部４１内において伸縮可能に形成されている。
【００２８】
本実施例の引輪金具３は、指掛け部４２および摘み部５２を同じ大きさの略球体状として、クマの両耳にすることで、引輪金具３全体としての装飾性を良好にすることができる。
【００２９】
すなわち、本実施例の引輪金具３は、中空リング部４１をクマの顔、中空リング部４１の指掛け部４２および摘み部５２をクマの両耳とすることで、引輪金具３全体としてクマの顔を形成し、装飾性を良好にすることができる。
【００３０】
次に、本実施例の装身用チェーン１を装着する装着方法について説明する。初期条件として、引輪金具本体４内で開閉部材５が摺動可能に位置しており、チェーン本体２１の一端が被係止部４２ａに係止されており、チャーン本体２１の他端が連結孔２２ｂに連結されているものとする。
【００３１】
図７は図１の装身用チェーン１を装着する装着方法を示すフローチャートである。
【００３２】
図７で示すように、装着者は、首の後ろに引輪金具３および連結プレート２２が位置するように、装身用チェーン１を首に巻き付ける（ＳＴＥＰ１、２）。装着者は、首の後ろで、摘み部５２を指掛け部４２側へ引き寄せて、中芯部５１を切欠き部４１ａから離間し、切欠き部４１ａを開口させる（ＳＴＥＰ３）。
【００３３】
この引き寄せ操作においては、摘み部５２および指掛け部４２が直径２．０ｍｍの略球体状に形成されていることで、従来の引輪金具の操作部（約１．５ｍｍ）（不図示）に比べて大きいため、首の後ろにおいても簡単に摘み部５２を指掛け部４２側へ引き寄せることができる。
【００３４】
また、本実施例の指掛け部４２は、従来例の留め金具１００のリング１４０と異なり、チェーン本体２１の一端を被係止部４２a（指掛け部４２の外周に形成されたもの）に係止させて、指を掛ける専用の部分とすることで、チェーン本体２１の一端を引輪金具３への取付け方による指掛け部４２の操作感の相違を、従来例の留め金具１００よりも低減させることができる。
【００３５】
装着者は、切欠き部４１ａを介して、引輪金具本体４を楕円状の挿通孔２２ａに挿通させ、引輪金具３を連結プレート２２に係止する（ＳＴＥＰ５）。装着者は、摘み部５２から指を離すと、押圧部５３で中芯部５１がスリット溝４１ｂ側へ押圧され、切欠き部４１ａが中芯部５１で封止される（ＳＴＥＰ６）。すなわち、中芯部５１で切欠き部４１ａが封止されることで、引輪金具３が連結プレート２２に連結され、装着者の首に装身用チェーン１が装着され、装着作業を終了する（ＳＴＥＰ７、８）。
【００３６】
本実施例の引輪金具３は、挿通孔２２ａを長手方向へ延びる楕円状に形成することで、連結プレート２２における引輪金具本体４を挿通する領域を広くし、引輪金具３を簡単に挿通孔２２ａに挿通させることが出来る。
【００３７】
すなわち、本実施例の引輪金具３は、挿通孔２２ａを楕円状にすることで、引輪金具３を簡単に挿通孔２２ａに挿通させることで、首の後ろで引輪金具３を挿通孔２２ａに挿通させることができる。
【００３８】
また、本実施例の引輪金具３は、摘み部５２を指掛け部４２へ引き寄せ操作により切欠き部４１ａを開口させ、摘み部５２から指を離す操作で、切欠き部４１ａを中芯部５１で封止させることで、簡単に引輪金具３を連結プレート２２に連結させることができる。
【００３９】
この構成により、本実施例の装身用チェーン１は、摘み部５２の引き寄せ操作等により、簡単に引輪金具３を連結プレート２２に連結させて、全体を輪状に形成することができる。
【００４０】
さらに、本実施例の引輪金具３は、指掛け部４２および摘み部５２を同じ大きさの略球体状とすることで、従来例の留め金具１００に比べて、指掛け部４２に対する摘み部５２の引き寄せ方向による操作感の相違も低減させることができる。
【００４１】
（第２実施例）
第２実施例の引輪金具３’は、第１実施例の引輪金具３に比べて指掛け部４２’および摘み部５２’の構成のみが異なるため、これらの異なる構成のみを説明し、その他の構成については第１実施例と同じであるため説明を省略する。
なお、座標系は第１実施例と同じものとする。
【００４２】
図８は第２実施例の引輪金具３’の斜視図であり、図９は図８のＣ−Ｃ線で切断した断面図である。
【００４３】
指掛け部４２’は、図８および９で示すように、中空リング部４１から外側上方へ延出し、中空リング部４１と同一素材（例えば、金合金、プラチナ合金又は銀合金など）からなる。
【００４４】
この指掛け部４２’は、図８および９で示すように、ウサギの片側の耳の形となるように、高さを例えば３．０ｍｍとし、直径を例えば１．２ｍｍとする略円柱状をしたものである。また、指掛け部４２’の外周面には、被係止部４２ａが形成されており、この被係止部４２ａにチェーン本体２１の一端を係止する。
【００４５】
摘み部５２’は、図８および９で示すように、中芯部５１から外側上方へ延出して形成されており、例えば、金合金、プラチナ合金又は銀合金などからなる。
【００４６】
この摘み部５２’は、図８および９で示すように、指掛け部４２’と同じ大きさで、ウサギの片側の耳の形となるように、高さを例えば３．０ｍｍとし、直径を例えば○○ｍｍとする略円柱状をしたものである。摘み部５２’は、中芯部５１と一体的に形成されており、スリット溝４１ｂ上を摺動可能に形成されている。
【００４７】
本実施例の引輪金具３’は、図８および９で示すように、指掛け部４２’および摘み部５２’を、高さを３．０ｍｍとした略円筒状とし、ウサギの両耳とすることで、全体としての装飾性を良好にすることができる。
【００４８】
すなわち、本実施例の引輪金具３’は、中空リング部４１をウサギの顔として、指掛け部４２’および摘み部５２’をウサギの両耳とすることで、引輪金具３’全体としてウサギの顔を形成し、装飾性を良好にすることができる。
【００４９】
本実施例の引輪金具３’は、指掛け部４２’および摘み部５２’が高さ３．０ｍｍで、直径を１．２ｍｍ以上とする略円柱状をしたものであり、従来の引輪金具の操作部（約１．５ｍｍ）（不図示）よりも大きく形成することで、従来例に比べて簡単に摘み部５２’を指掛け部４２’へ引き寄せることができる。
【００５０】
さらに、本実施例の引輪金具３’は、指掛け部４２’および摘み部５２’が略円筒状に形成されているため、第１実施例の引輪金具３に比べて、装着者による指掛け部４２’に対する摘み部５２’の引き寄せ操作をより円滑に行うことができる。
【００５１】
（第３実施例）
第３実施例の引輪金具３’’は、第１実施例の引輪金具３と指掛け部４２’’および摘み部５２’’の大きさのみが異なるため、これらの大きさのみ説明し、他の構成については第１実施例と同じであるため説明を省略する。
なお、座標系は第１実施例と同じものとする。
【００５２】
図１０は、第３実施例の引輪金具３’’の斜視図である。
【００５３】
指掛け部４２’’は、図１０で示すように、ネズミの片側の耳の形となるように、直径を例えば２．５ｍｍ〜３．０ｍｍの略球体状をしたものであり、中空リング部４１から外側上方へ延出して形成されている。
【００５４】
また、摘み部５２’’は、図１０で示すように、指掛け部４２’’と同じ大きさで、ネズミの片側の耳の形となるように、直径を例えば２．５ｍｍ〜３．０ｍｍの略球体状をしたものであり、中芯部５１から外側上方に延出して形成されている。
【００５５】
本実施例の引輪金具３’’は、図１０で示すように、指掛け部４２’’および摘み部５２’’を、直径２．５ｍｍ〜３．０ｍｍの略球体状として、ネズミの両耳となるようにすることで、引輪金具３’’全体としての装飾性を良好にすることができる。
【００５６】
すなわち、本実施例の引輪金具３’’は、中空リング部４１をネズミの顔とし、指掛け部４２’’および摘み部５２’’をネズミの両耳とすることで、引輪金具３’’全体としての装飾性を良好にすることができる。
【００５７】
本実施例の引輪金具３’’は、略球体状からなる指掛け部４２’’および摘み部５２’’の直径を２．５ｍｍ〜３．０ｍｍとして、第１実施例の指掛け部４２および摘み部５２の直径２．０ｍｍよりも大きくするだけで、全体の形状を、第１実施例のようなクマの顔からネズミの顔へ簡単に変更することができる。
【００５８】
（他の実施例）
第１実施例における指掛け部４２および摘み部５２は、単に略球体状をしたものとして説明したが、図１１で示すように、指掛け部４２’’’および摘み部５２’’’の各表面を凹凸状に形成しても良い。
【００５９】
この構成により、摘み部５２’’’を指掛け部４２’’’へ引き寄せる際に、装着者の指が摘み部５２’’’および指掛け部４２’’’から滑り難くなるため、装着者による引き寄せ操作をより円滑に行うことができる。
【００６０】
上記第１、第２および第３実施例において、指掛け部４２、４２’、４２’’および摘み部５２、５２’、５２’’が、クマやネズミの耳の形となるように、直径２．０ｍｍや直径２．５ｍｍ〜３．０ｍｍの略球体状のものや、ウサギの耳の形となるように、高さ３．０ｍｍで直径１．２ｍｍとする略円柱状のものとして説明したが、特にこれに限られるものではなく、指掛け部４２、４２’、４２’’および摘み部５２、５２’、５２’’が、動物の耳の形となるように、２．０ｍｍ以上の同じ長さで外側へ延出して形成されていれば良い。
【００６１】
すなわち、指掛け部４２、４２’、４２’’および摘み部５２、５２’、５２’’を、動物の両耳の形となるように、２．０ｍｍ以上の同じ長さ（従来の操作部（不図示）１．５ｍｍよりも長い長さ）で外側へ延出して形成することで、指掛け部４２、４２’、４２’’に対する摘み部５２、５２’、５２’’の引き寄せ操作を良好にするとともに、引輪金具３、３’、３’’全体としての装飾性も良好にすることができる。
【００６２】
上記第１、第２および第３実施例において、中空リング部４１を直径６．０ｍｍとするものとして説明したが、特にこれに限られるものではなく、連結プレート２２が連結できる直径であれば良い。
【００６３】
また、上記第１、第２および第３実施例において、指掛け部４２、４２’、４２’’を中空リング部４１から外側上方へ延出して形成されているものとし、摘み部５２、５２’、５２’’を中芯部５１から外側上方へ延出しているものとして説明したが、特にこれに限られるものではなく、指掛け部４２、４２’、４２’’および摘み部５２、５２’、５２’’が、動物の耳の形となる位置であれば、特にこれに限られるものではない。
【００６４】
本考案は、その精神または主要な特徴から逸脱することなく、他の様々な形で実施することができる。そのため、前述の実施の形態はあらゆる点で単なる例示に過ぎず、限定的に解釈してはならない。本考案の範囲は、実用新案登録請求の範囲によって示すものであって、明細書本文には、なんら拘束されない。さらに、実用新案登録請求の範囲の均等範囲に属する全ての変形、様々な改良、代替および改質は、すべて本考案の範囲内のものである。
【符号の説明】
【００６５】
１…装身用チェーン
２…チェーン
２１…チェーン本体      ２１a…チェーン構成部材    ２２…連結プレート      ２２a…挿通孔      ２２ｂ…連結孔
３、３’、３”、３’’’…引輪金具
４、４’、４”、４’’’…引輪金具本体
４１…中空リング部      ４１a…切欠き部      ４１ｂ…スリット溝    ４２、４２’、４２”、４２’’’…指掛け部      ４２a…被係止部
５、５’、５”、５’’’…開閉部材
５１…中芯部    ５２、５２’、５２”、５２’’’…摘み部    ５３…押圧部
【図１】
0003219578.tif 000003
【図２】
0003219578.tif 000004
【図３】
0003219578.tif 000005
【図４】
0003219578.tif 000006
【図５】
0003219578.tif 000007
【図６】
0003219578.tif 000008
【図７】
0003219578.tif 000009
【図８】
0003219578.tif 000010
【図９】
0003219578.tif 000011
【図１０】
0003219578.tif 000012
【図１１】
0003219578.tif 000013
【図１２】
0003219578.tif 000014